(57)【要約】【課題】護摩木を焚く山から離れた遠隔地でも、自書も含めた書体を選択して、簡易に護摩木の奉納を注文できる護摩木注文システムを提供する。【解決手段】管理センタの情報処理装置２に、インターネット１を介して、顧客端末装置３−１、・・・、３−ｎを接続してシステムを構成し、護摩木を注文する際に、顧客端末装置３−ｉから情報処理装置２をアクセスし、顧客端末装置３−ｉから、固有の戒名と、戒名を記録する際の自書を含む書体の別と、奉納すべき山名とを含む護摩木情報を送信し、情報処理装置２で、注文のあった護摩木情報を受信して、記録部で護摩木材４に、指定の山名と、送られて来た自書の戒名、あるいは送られて来た書体による戒名とを、記録する。【選択図】  図１
2009032034.tif 000002
【特許請求の範囲】
【請求項１】
護摩木の注文を収集する管理センタの情報処理装置と、この情報処理装置に通信路を介して護摩木の注文データを送信可能な顧客端末装置とからなる護摩木注文システムであって、
前記顧客端末装置は、
護摩木に記録する護摩木情報を入力する護摩木情報入力手段と、
この入力された護摩木情報を記憶する第１の護摩木情報記憶手段と、
この記憶した護摩木情報を前記管理センタの情報処理装置に送信する送信手段とを、備え、
前記管理センタの情報処理装置には、前記顧客端末装置より、送信されてきた護摩木情報を受信する手段と、
前記受信された護摩木情報を記憶する第２の記憶手段と、
この記憶された護摩木情報を護摩木材に記録する記録手段とを、備えることを特徴とする護摩木注文システム。
【請求項２】
前記護摩木情報は、注文主に係る固有の戒名を含むことを特徴とする請求項１記載の護摩木注文システム。
【請求項３】
前記護摩木情報は、注文主に係る固有の戒名と、護摩木に記録すべき書体の種別とを含むことを特徴とする請求項１又は請求項２記載の護摩木注文システム。
【請求項４】
前記護摩木情報は、注文主に係る固有の戒名と、護摩木に記録すべき書体の種別と、護摩木を奉納する山名とを含むことを特徴とする請求項１、請求項２、又は請求項３記載の護摩木注文システム。
【請求項５】
前記護摩木情報入力手段は、複数の書体から１つの書体を選択して入力し得るものであることを特徴とする請求項１、請求項２、請求項３又は請求項４記載の護摩木注文システム。
【請求項６】
前記護摩木情報入力手段は、複数の書体から自書の書体を選択して入力し得ることを特徴とする請求項５記載の護摩木注文システム。
【請求項７】
前記記録手段は、送信されてきた護摩木情報の書体種別に応じた書体で記録することを特徴とする請求項３又は請求項４記載の護摩木注文システム。
【請求項８】
前記記録手段は、送信されてきた護摩木情報に含まれる山名を記録することを特徴とする請求項４記載の護摩木注文システム。
【発明の詳細な説明】
【技術分野】
【０００１】
この発明は、京五山送り火等で焚かれる護摩木を注文する護摩木注文システムに関する。
【背景技術】
【０００２】
京都の五山送り火では、人々は京都五山近くの寺院で販売している護摩木を購入し、護摩木に自分の亡くなった家族等の戒名を記入して、これを寺院の人に託し、五山送り火の日に、五山の希望する山で送り火として焚いてもらい、供養を行っている。
【０００３】
ところで、通信ネットワークを介して接続された会員の端末と、社寺の端末と、サーバ装置とで祈祷シーンデリバリシステムを構成し、社寺で会員が指定した祈祷内容、例えば祈願として入学祈願、祈祷方法として護摩祈願、実施時間を指定すると、社寺では、指定された時間までに護摩札に会員の氏名等を記して、指定された時間に、護摩祈祷を執り行い、護摩シーンを撮影し、護摩シーンを会員に送信し、会員は、護摩シーンを拝観できるようにした技術が公開されている（例えば特許文献１参照）。
【特許文献１】特開２００５−３０１５７２公報
【発明の開示】
【発明が解決しようとする課題】
【０００４】
これまでの五山送り火で焚かれる護摩木は、五山近傍の寺院で販売されているだけなので、護摩木供養を希望する人は、京都まで出向き、さらに護摩木を販売している寺院まで来て購入し、供養する人の戒名を記入しなければならず、非常に不便であった。また、護摩木の販売が五山近傍の寺院のみであると、五山送り火で護摩木供養が行われていることや、護摩木販売がどこでなされているかが、販売している寺院に行った人や、京都の人以外には、伝わりにくいという問題もあった。
【０００５】
また、上記特許文献１に記載のシステムでは、遠方からでも護摩木の購入が可能であるが、護摩木には、入学志願者の名前や、祈願内容が社寺の人の手によって記載されるにみであり、供養する者が自書した戒名などは記録し得ず、また記録は社寺の人を煩わせるという問題がある。
【０００６】
この発明は、上記問題点に着目してなされたものであって、護摩木を焚く場所より遠隔地でも護摩木の記録を、自書も含めた書体を選択でき、注文を受ける管理センタでは、護摩木への記録の手間を要しない護摩木注文システムを提供することを目的とする。
【課題を解決するための手段】
【０００７】
この発明の護摩木注文システムは、護摩木の注文を収集する管理センタの情報処理装置と、この情報処理装置に通信路を介して護摩木の注文データを送信可能な顧客端末装置とからなる注文システムであって、前記顧客端末装置は、護摩木に記録する護摩木情報を入力する護摩木情報入力手段と、この入力された護摩木情報を記憶する第１の護摩木情報記憶手段と、この記憶した護摩木情報を前記管理センタの情報処理装置に送信する送信手段とを、備え、前記管理センタの情報処理装置には、前記顧客端末装置より、送信されてきた護摩木情報を受信する手段と、前記受信された護摩木情報を記憶する第２の記憶手段と、この記憶された護摩木情報を護摩木材に記録する記録手段とを、備えることを特徴とする。
【０００８】
この発明の護摩木注文システムにおいて、前記護摩木情報は、注文主に係る固有の戒名を含むことを特徴とする。
【０００９】
また、この発明の護摩木注文システムにおいて、前記護摩木情報は、注文主に係る固有の戒名と、護摩木に記録すべき書体の種別とを含むことを特徴とする。
【００１０】
また、この発明の護摩木注文システムにおいて、前記護摩木情報は、注文主に係る固有の戒名と、護摩木に記録すべき書体の種別と、護摩木を奉納する山名とを含むことを特徴とする。
【００１１】
また、この発明の護摩木注文システムにおいて、前記護摩木情報入力手段は、複数の書体から１つの書体を選択して入力し得るものであることを特徴とする。
【００１２】
また、この発明の護摩木注文システムにおいて、前記護摩木情報入力手段は、複数の書体から自書の書体を選択して入力し得ることを特徴とする。
【００１３】
また、この発明の護摩木注文システムにおいて、  前記記録手段は、送信されてきた護摩木情報の書体種別に応じた書体で記録することを特徴とする。
【００１４】
また、この発明の護摩木注文システムにおいて、前記記録手段は、送信されてきた護摩木情報に含まれる山名を記録することを特徴とする。
【発明の効果】
【００１５】
この発明によれば、顧客端末装置の護摩木情報入力手段より、自書又は所望の書体で護摩木情報を入力し、管理センタの情報処理装置へ送信し、記録手段で護摩木に自書又は所望の書体で記録できるので、供養する者は、遠隔地にいても、戒名など護摩木情報を、自書また気に入った書体で記録でき、心のこもった供養を行うことができる。そのため、管理センタでは、多くの人から護摩木、及び護摩木を用いた供養の注文を受けることができる。
【発明を実施するための最良の形態】
【００１６】
以下、実施の形態により、この発明をさらに詳細に説明する。図１は、この発明の一実施形態である護摩木注文システムの機器構成を示すブロック図である。この護摩木注文システムは、京都の五山の近傍に設置される管理センタの情報処理装置２と、この情報処理装置２にインターネット１を介して接続される顧客端末装置３−１，３−３、・・・、３−ｎとから構成されている。
【００１７】
情報処理装置２では、全国の顧客端末装置３−１，３−３、・・・、３−ｎから、ホームページに護摩木の注文を受けることができる。情報処理装置２における護摩木注文受けは、ホームページにアクセスがあると、アクセスのあった顧客端末装置３−ｉに、護摩木に記録する書体を選択するための入力画面、五山中のどの山への奉納を希望するかの選択を行う入力画面などを送信する機能を備えている。
【００１８】
各顧客端末装置３−１，３−３、・・・、３−ｎは、情報処理装置２から送られて来る入力画面により、書体を選択入力する機能、五山中のどの山への奉納を希望するかを選択入力する機能、自書した戒名、紙などに記載された戒名などを画像読み取りし、入力する機能、また、戒名などの文字データをキー操作により入力する機能、そして入力された各データを一時的に記憶する機能、一時的に記憶したデータを情報処理装置２に送信する機能などを備えている。
【００１９】
情報処理装置２は、さらに、各顧客端末装置３−１，３−３、・・・、３−ｎから送信されてくる注文者に関するデータ及び戒名などのデータを受信する機能、受信した各顧客端末装置３−１，３−３、・・・、３−ｎからのデータを記憶する機能、記憶したデータを読み出して五山中の指定された山名、あるいは山名を示す記号、戒名を護摩木に記録する機能等を備えている。また、情報処理装置２には、記録された護摩木を、山毎に分別・仕分けして箱などに蓄積する機能を有し、五山送り火に日が近づくと、仕分けされた箱を山に搬送する。
【００２０】
各顧客端末装置３−１，３−３、・・・、３−ｎでは、管理センタの情報処理装置に送信する戒名データを自書、楷書、行書、草書の別を指定し、選択できる(図４参照)。また、各顧客端末装置３−１，３−３、・・・、３−ｎでは、護摩木をどの山に奉納したいか、つまり例えば鳥居形、舟形、右大文字、妙、法、左大文字の別を指定し、選択できる(図５参照)。この場合、複数の山、あるいは全部の山を指定してもよい。
【００２１】
次に、図２、図３に示すフロー図を参照して、この実施形態護摩木注文システムの処理動作を説明する。
【００２２】
顧客端末装置３−ｉで、護摩木の注文を希望する場合は、先ず、図２に示すフロー図のステップＳＴ１において、管理センタの情報処理装置２にアクセスする。情報処理装置２では、図３に示すフロー図のステップＳＴ２１において、顧客端末装置３−ｉからアクセス有りか否かを判定し、アクセス有りの場合は、次にステップＳＴ２２へ移行する。ステップＳＴ２２においては、護摩木注文システムのフロント画面を送信する。続いて、ステップＳＴ２３へ移行する。
【００２３】
顧客端末装置３−ｉでは、ステップＳＴ２において、情報処理装置２のステップＳＴ２２において、フロント画面の送信があった場合、これに応答してフロント画面を受信し、表示する。続いてステップＳＴ３へ移行する。ステップＳＴ３においては、フロント画面上で、操作者のクリックが合ったか否かなどにより、次処理へ、を選択されたか否かを判定する。ここで、次処理へ、が選択された場合には、ステップＳＴ４へ移行する。
【００２４】
この次処理へ、が選択されると、その旨が情報処理装置２へ送信され、情報処理装置２では、ステップＳＴ２３において、次処理への選択がなされたかの判定がＹＥＳとされ、ステップＳＴ２４へ移行する。ステップＳＴ２４においては、図４に示す書体選択画面を送信する。送信後は、ステップＳＴ２５へ移行し、顧客端末装置３−ｉから選択データを受信したか否かを判定し、選択データを受信するまで待機する。
【００２５】
顧客端末装置３−ｉでは、ステップＳＴ４において、書体選択画面を受信し、表示する。次にステップＳＴ５に移行する。ステップＳＴ５において、操作者が図４に示す書体選択画面の自書をクリックしたか否かを判定する。操作者が自書を選択した場合は、ステップＳＴ６へ移行する。他方操作者が自書を操作したのではない場合は、ステップＳＴ７へ移行する。
【００２６】
ステップＳＴ７においては、図４の画面において自書以外のその他の書体が選択されたか否か判定する。いずれの他の書体も選択されていない場合は、ステップＳＴ４へ戻る。一方、いずれかの他の書体が選択クリックされた場合は、続いてステップＳＴ８へ、移行する。
【００２７】
情報処理装置２では、書体選択データを受信すると、ステップＳＴ２５の判定がＹＥＳとなり、次にステップＳＴ２６へ移行する。ステップＳＴ２６においては、受信した書体選択データが自書であるか否か判定する。自書選択の場合はステップＳＴ２７へ移行する。他方自書選択でない場合は、ステップＳＴ２８へ移行する。ステップＳＴ２７においては「自書文字を読み込んで下さい」の表示画面を顧客端末装置３−ｉに送信する。次にステップＳＴ３０へ移行する。一方、顧客端末装置３−ｉでは、ステップＳＴ６において、この画面を表示するとともに、紙などに自書した戒名をスキャナで読み取り、あるいはライトペンなどの入力手段で自書された筆跡を入力する。読み取り、あるいは入力された自書文字は一時的に記憶部に記憶される。
【００２８】
ステップＳＴ２８においては、「キー入力で戒名を入力してください」の表示画面を送信する。顧客端末装置３−ｉでは、この表示画面を受信するとステップＳＴ８において、「戒名をキー入力してください」を画面に表示する。続いて、ステップＳＴ９へ移行する。ステップＳＴ９においては、操作者が戒名をキー入力したか否かを判定する。キー入力がなされない場合は、ステップＳＴ８へ戻り、キー入力されるのを、待機する。他方、戒名がキー入力されるとステップＳＴ１９へ移行する。
【００２９】
情報処理装置２では、ステップＳＴ２９において、顧客端末装置３−ｉからキー入力データを受信したか否かを判定する。キー入力データを受信するまでは、ここで待機し、キー入力データを受信すると、その戒名データは、記憶部に記憶される。次にステップＳＴ３０へ移行する。ステップＳＴ３０においては、図５に示す山を選択する画面を送信する。送信後は、ステップＳＴ３１に移行し、顧客端末装置３−ｉから山選択データを受信か否か判定する。山選択データを受信するまで、ここで待機する。
【００３０】
顧客端末装置３−ｉでは、山選択画面を受信すると、ステップＳＴ１０において、この山選択画面を表示する。この山選択画面には、護摩木を奉納する山を注文主が選択する。この画面は図５に示すように「鳥居形」、「舟形」、「右大文字」、「妙」、「法」、「左大文字」を個別に選択できるようにしている。ここでは、「妙」と「法」は別々にわけているが、これをあわせて「妙法」とし、文字通り、五山の１つを選択できるようにしてもよい。クリックは１個に限らず、複数個も、可能であり、全部を選択してもよい。
【００３１】
顧客端末装置３−ｉでは、山選択画面を表示した後、ステップＳＴ１１において、山選択入力有か否か判定し、山選択入力がなされるまで、ここで待機する。注文主が、顧客端末装置３−ｉの山選択画面の山をクリックするとステップＳＴ１２へ移行する。そして選択データを送信する。情報処理装置２では、山選択データを受信すると、ステップＳＴ３１の判定がＹＥＳとなり、ステップＳＴ３２へ移行する。ステップＳＴ３２においては、山選択データを記憶部に記憶する。この記憶部における護摩木の注文データは、図６に示すように、注文主、選択された山、書体の内容で記憶される。
【００３２】
情報処理装置２には、図７に示す護摩木材４に注文主が注文してきた山、戒名、のデータを指定の書体で記録する記録装置を備えており、ステップＳＴ３３で、護摩木材４に受信データ、つまり指定された山と、戒名が記録される。図７の護摩木材４は、ａ；３０ｍｍ、ｂ；３ｍｍ、ｃ；３００ｍｍ程度のものを使用する。図８に、山を示す記録例を示している。
【００３３】
なお、上記実施形態において、顧客端末装置は、注文主のもつパソコンを想定しているが、郵便局、コンビニ、各地域の寺院等に設置する端末装置であってもよい。
【００３４】
している。
【図面の簡単な説明】
【００３５】
【図１】この発明が、実施される護摩木注文システムの機器構成を示すブロック図である。
【図２】同実施形態護摩木注文システムの顧客端末装置の注文処理動作を説明するフロー図である。
【図３】同実施形態護摩木注文システムの管理センタの情報処理装置の注文処理動作を説明するフロー図である。
【図４】同実施形態護摩木注文システムの書体選択表示画面の一例を示す図である。
【図５】同実施形態護摩木注文システムの山選択表示画面の一例を示す図である。
【図６】同実施形態護摩木注文システムの情報処理装置の注文データを記憶する記憶部の記憶内容を示す図である。
【図７】同実施形態護摩木注文システムで使用する護摩木材を示す図である。
【図８】同実施形態護摩木注文システムで使用する護摩木材に山を識別する文字、記号を付した例を示す図である。
【符号の説明】
【００３６】
１                                  インターネット
２                                  管理センタの情報処理装置
３−１，３−２、・・・、３−ｎ      顧客端末装置
４                                  護摩木材
【図１】
2009032034.tif 000003
【図２】
2009032034.tif 000004
【図３】
2009032034.tif 000005
【図４】
2009032034.tif 000006
【図５】
2009032034.tif 000007
【図６】
2009032034.tif 000008
【図７】
2009032034.tif 000009
【図８】
2009032034.tif 000010